(57)【要約】【課題】オペレータの熟練度や操作部の目視を必要とせず、フェードインやフェードアウトなどの操作部の操作を正確に行なうことのできる音声調整装置の操作サポートシステム及びサポートプログラムを提供する。【解決手段】音声調整装置の操作サポートシステムは、スライド式のモータフェーダ１を備え、このモータフェーダ１の操作ツマミ２に対してトルクを与える制御回路３と、駆動部となるモータ制御部４と、操作ツマミ２の把持部分である操作面に設けられたタッチセンサ５と、制御回路３に予め制御プログラムの設定を行なう設定操作部６と、を備える。操作ツマミ２のポジションと、このポジションにおける操作トルクの制御パターンとして、操作ツマミ２にかかる操作トルクを軽重２段階に分けて制御するパターンと、操作ツマミ２にかかる操作トルクを、操作ツマミ２のポジションに応じて可変にする制御パターンとがある。【選択図】図１
2012033767.tif 000002
【特許請求の範囲】
【請求項１】
スライド移動又は回転移動して音量レベルを変更させる操作部と、前記操作部の移動を駆動するモータと、前記モータを制御する制御回路と、を備えた音声調整装置の操作サポートシステムにおいて、
前記制御回路は、前記モータの制御により前記操作部の移動にトルクをかけるトルク付加手段を備え、
前記トルク付加手段は、前記操作部の移動にかかるトルクとして、軽トルクと重トルクとを変更可能に設定されたことを特徴とする音声調整装置の操作サポートシステム。
【請求項２】
スライド移動又は回転移動する操作部と、前記操作部の移動を駆動するモータと、前記モータを制御する制御回路と、を備えた音声調整装置の操作サポートシステムにおいて、
前記制御回路は、
前記操作部のスライド移動量又は回転移動量から現在の位置を読み取る位置読取手段と、
前記操作部の移動方向を検知する移動検知手段と、
前記モータの制御により前記操作部の移動にトルクをかけるトルク付加手段と、を備え、
前記トルク付加手段は、前記操作部の位置に応じて前記操作部にかけるトルクを設定した複数の制御パターンを記憶したトルクテーブル記憶手段と、前記操作部の位置情報と前記トルクテーブルとに基づいて前記操作部の移動にトルクをかけるトルクレベル設定手段と、からなることを特徴とする音声調整装置の操作サポートシステム。
【請求項３】
前記制御パターンには、
前記操作部の位置に関わらずトルクを一定にするパターンと、
前記操作部の位置が一定範囲外の場合に高トルクをかけるパターンと、
前記操作部の位置に比例してトルクを上昇又は減衰させるパターンと、
前記操作部の位置に応じてトルクをＬｏｇカーブ状に上昇させるパターンと、
前記操作部の位置に応じてトルクをＬｏｇカーブ状に減衰させるパターンと、
前記操作部の位置に比例してトルクを上昇又は減衰させつつ、一定範囲を超える場合に高トルクをかけるパターンと、のいずれか又は複数の組み合わせを含むことを特徴とする請求項１又は２記載の音声調整装置の操作サポートシステム。
【請求項４】
前記操作部には、ユーザが操作部に触れたか否かを検出するタッチセンサが設けられ、
前記制御回路は、
前記タッチセンサによるユーザ操作の検出の入力を受け、前記モータ制御を開始し、
前記タッチセンサにおけるユーザ操作の検出の入力がなくなった際に、前記モータ制御を停止することを特徴とする請求項１〜３のいずれか１項に記載の音声調整装置の操作サポートシステム。
【請求項５】
スライド移動又は回転移動して音量レベルを変更させる操作部と、前記操作部の移動を駆動するモータと、前記モータを制御する制御回路と、を備えた音声調整装置の操作サポートプログラムにおいて、
前記プログラムは、前記制御回路に、
前記モータの制御により前記操作部の移動にトルクをかけるトルク付加処理を実現させるものであり、
前記トルク付加処理は、前記操作部の移動にかかるトルクとして、軽トルクと重トルクとを変更可能に設定されたことを特徴とする音声調整装置の操作サポートプログラム。
【請求項６】
スライド移動又は回転移動する操作部と、前記操作部の移動を駆動するモータと、前記モータを制御する制御回路と、を備えた音声調整装置の操作サポートプログラムにおいて、
前記プログラムは、前記制御回路に、
前記操作部のスライド移動量又は回転移動量から現在の位置を読み取る位置読取処理と、
前記操作部の移動方向を検知する移動検知処理と、
前記モータの制御により前記操作部の移動にトルクをかけるトルク付加処理と、を実現させるものであり、
前記トルク付加処理は、前記操作部の位置に応じて前記操作部にかけるトルクを設定した複数の制御パターンを記憶したトルクテーブル記憶処理と、前記操作部の位置情報と前記トルクテーブルとに基づいて前記操作部の移動にトルクをかけるトルクレベル設定処理と、を含むことを特徴とする音声調整装置の操作サポートプログラム。
【請求項７】
前記制御パターンには、
前記操作部の位置に関わらずトルクを一定にするパターンと、
前記操作部の位置が一定範囲外の場合に高トルクをかけるパターンと、
前記操作部の位置に比例してトルクを上昇又は減衰させるパターンと、
前記操作部の位置に応じてトルクをＬｏｇカーブ状に上昇させるパターンと、
前記操作部の位置に応じてトルクをＬｏｇカーブ状に減衰させるパターンと、
前記操作部の位置に比例してトルクを上昇又は減衰させつつ、一定範囲を超える場合に高トルクをかけるパターンと、のいずれか又は複数の組み合わせを含むことを特徴とする請求項５又は６記載の音声調整装置の操作サポートプログラム。
【発明の詳細な説明】
【技術分野】
【０００１】
本発明は、入力する音声信号の音量及び音質調整を行い出力する音声調整装置の操作の利便性を向上させる音声調整装置の操作サポートシステム及びサポートプログラムに関する。
【背景技術】
【０００２】
従来より、入力する音声信号の音量及び音質調整を行い出力する音声調整装置が知られている。一般的に、放送局向けの音声調整装置の場合、リハーサル時に入力音声に合わせた調整を事前に行った上で本番に臨む。
【０００３】
放送の本番では、音声調整装置の本格的な調整は行わないが、例えば、ＢＧＭをフェードインさせたり、シーン切り替えで音量をクロスフェードさせたりするフェードイン、フェードアウトの操作が行なわれている。このフェードイン、フェードアウトの操作は、大抵の場合、音量を急激に変えるものではなく、ゆっくりとした操作でスローフェードさせる。また、入力する音声がリハーサル時と微妙に異なる場合は、音声調整装置において、補正目的の微調整を行うことがあるが、この場合も急激な操作によって音量や音質を変えてしまうと、放送音声にその音声変化具合が出力されてしまうため、ゆっくりと調整することが多い。
【０００４】
このような調整は、音声調整装置の操作部により行なうものであり、この操作部には、スライドフェーダやロータリエンコーダが多く使用されており、専任オペレータがマニュアル操作で各種調整を行っている。
【０００５】
従来の音声調整装置では、即座に調整や設定が行えるように、調整操作部の操作トルクは軽めに設定されたものが多い。リハーサル時に多くの調整を短時間で行う場合には操作トルクは軽い方が適しているが、本番中のゆっくりとした操作に適していない。フェードイン、フェードアウトが自然に聴こえるように操作する場合は安定（一定）した操作速度でスライドフェーダやロータリエンコーダを操作する必要もあり、この操作も重いトルクの方が操作は行い易い。
【０００６】
この課題に対応して、例えば、操作部を構成する回転操作ツマミを、ユーザが手動で操作した場合に、駆動手段によって、その操作方向と反対方向に本体部を回転させるようにし、ユーザに操作抵抗感を与えるようにしたものがある（特許文献１参照）。この技術では、駆動手段が発生するトルクが調整されることで、ユーザの好みに応じた操作抵抗感に容易に調整することができるように構成される。
【０００７】
また、フェードイン・アウト操作は、最終到達レベルに近づく程に操作速度を遅くする場合や、逆に到達レベルに近づく程に操作速度を早める場合もある。これらは放送番組の演出効果として使われる操作であり、番組途中にＢＧＭを差し込む場合等に、この様な操作が良く使われる。この場合、オペレータが操作スピードを変えながらフェードイン、フェードアウトの操作を行なうものであり、放送中の緊迫した状況の中で番組演出に適した操作を正確に行うことは非常に難しい作業である。さらに、放送中に同様のフェードイン、フェードアウトの操作を行う場面（例えばＢＧＭ挿入）が多数あり、常時同じ効果に相当する操作を行うことが要求される。
【先行技術文献】
【特許文献】
【０００８】
【特許文献１】特開２０１０−８０５０１号公報
【発明の概要】
【発明が解決しようとする課題】
【０００９】
放送現場で用いられる音声調整装置における操作に関する課題は、番組進行が事前に予定されていた通りに進むことを前提とすれば、番組の時間軸に従い操作を自動化することで解決する。ただし、現実の生放送現場では、生放送であるがために予定されていない操作を要求されることがある。例えば、予定と異なる音楽が流れてしまい到達レベルに達する前に音声を絞る操作を行う必要がある場合等である。従来、この様な操作は番組専任で熟練したオペレータが専門的に行う必要があった。
【００１０】
また、通常、音声調整装置の操作は、出演者の状態をテレビモニタやガラス越しに観察しながら行うために、フェーダ操作などを、操作ツマミ等の操作部を見ないで行うことが多い。この場合のフェードイン、フェードアウトの操作では、手元を見ないで又はモニタや出演者と手元とを交互に見ながら、到達レベルに正確に調整することが必要であり、操作部が実際には到達すべきレベルまで行かないか、行き過ぎてしまうなどの課題があった。
【００１１】
フェーダ操作では予め決められた範囲内に操作を制限したい場合もある。例えば、番組中のＢＧＭは流したままであるが、アナウンサーが話している間は音量を絞りたい場合等である。通常、このような操作もマニュアル操作であり、オペレータは、目盛を見ながら音量レベルを制限範囲に抑える操作を行っているが、これを正確に行なうには、やはりオペレータの熟練度や、注意が必要で、上述した番組進行の状況では、オペレータへの負担が大きかった。
【００１２】
本発明は、上記のような従来技術の課題を解決するもので、その目的は、オペレータの熟練度や操作部の目視を必要とせず、フェードインやフェードアウトなどの操作部の操作を正確に行なうことのできる音声調整装置の操作サポートシステム及びサポートプログラムを提供することにある。
【課題を解決するための手段】
【００１３】
上記の目的を達成するために、請求項１の発明は、スライド移動又は回転移動して音量レベルを変更させる操作部と、前記操作部の移動を駆動するモータと、前記モータを制御する制御回路と、を備えた音声調整装置の操作サポートシステムにおいて、前記制御回路は、前記モータの制御により前記操作部の移動にトルクをかけるトルク付加手段を備え、前記トルク付加手段は、前記操作部の移動にかかるトルクとして、軽トルクと重トルクとを変更可能に設定されたことを特徴とする。
【００１４】
以上の態様では、制御回路において予め設定される制御パターンとして、制御回路のトルクテーブルに、操作部に対して一定の高負荷なトルクがかかるようにするものと低負荷なトルクがかかるようにするものとの２つの制御パターンを設定し、これらを可変とする。
【００１５】
これにより、例えば、テレビ番組やラジオ番組において、シーンを切り替える際に、次第に音を小さくしていくフェードアウトや、次第に大きくしていくフェードインを行なう場合、音量を急激に変えるものではなく、ゆっくりとした操作でスローフェードさせる必要があるため、操作部に対して、比較的重いトルクをかけ、操作部をゆっくり移動させることができるようになる。
【００１６】
したがって、オペレータは、例えば、操作部を直接見ないで出演者の状態をテレビモニタやガラス越しに観察しながらツマミ操作を行なった場合でも、操作トルクが重いことにより、操作部をゆっくり動かせるから、操作部が必要なレベルより行き過ぎてしまうようなことを防止することができる。
【００１７】
一方で、リハーサル時に多くの調整を短時間で行う場合等、即座に調整設定を行う必要がある場合には、操作部の操作トルクを軽めに設定することができる。
【００１８】
請求項２の発明は、スライド移動又は回転移動する操作部と、前記操作部の移動を駆動するモータと、前記モータを制御する制御回路と、を備えた音声調整装置の操作サポートシステムにおいて、前記制御回路は、前記操作部のスライド移動量又は回転移動量から現在の位置を読み取る位置読取手段と、前記操作部の移動方向を検知する移動検知手段と、前記モータの制御により前記操作部の移動にトルクをかけるトルク付加手段と、を備え、前記トルク付加手段は、前記操作部の位置に応じて前記操作部にかけるトルクを設定した複数の制御パターンを記憶したトルクテーブル記憶手段と、前記操作部の位置情報と前記トルクテーブルとに基づいて前記操作部の移動にトルクをかけるトルクレベル設定手段と、からなることを特徴とする。
【００１９】
請求項３の発明は、請求項１又は２の発明において、前記制御パターンには、前記操作部の位置に関わらずトルクを一定にするパターンと、前記操作部の位置が一定範囲外の場合に高トルクをかけるパターンと、前記操作部の位置に比例してトルクを上昇又は減衰させるパターンと、前記操作部の位置に応じてトルクをＬｏｇカーブ状に上昇させるパターンと、前記操作部の位置に応じてトルクをＬｏｇカーブ状に減衰させるパターンと、前記操作部の位置に比例してトルクを上昇又は減衰させつつ、一定範囲を超える場合に高トルクをかけるパターンと、のいずれか又は複数の組み合わせを含むことを特徴とする。
【００２０】
以上の態様では、制御回路において予め設定される制御パターンとして、制御回路のトルクテーブルに、複数のパターンを設定する。制御回路は、操作部の現在値ポジションを読み取り、モータを制御して操作部へ操作トルクを与えるモータを稼動させる。
【００２１】
制御回路は、設定された制御パターンに基づいて、フェードイン、フェードアウトの操作サポートとして、ＬＯＧカーブなどのフェードカーブ設定値及び目標ポジション設定値に対する操作中の現在ポジション位置を比較し、操作部へ与えるトルクを可変する。これにより、オペレータは、一定した操作力を加えるだけで正確で安定したフェード操作が可能になる。
【００２２】
また、操作が目標ポジションへ到達した場合には、行き過ぎ操作の防止目的でストップトルク（トルク最大）を与えることもでき、オペレータが、操作部を直接見ないで出演者の状態をテレビモニタやガラス越しに観察しながらツマミ操作を行なった場合でも、操作部が必要なレベルより行き過ぎてしまうようなことを防止することができる。
【００２３】
請求項４の発明は、請求項１〜３のいずれか１項に記載の発明において、前記操作部には、ユーザが操作部に触れたか否かを検出するタッチセンサが設けられ、前記制御回路は、前記タッチセンサによるユーザ操作の検出の入力を受け、前記モータ制御を開始し、前記タッチセンサにおけるユーザ操作の検出の入力がなくなった際に、前記モータ制御を停止することを特徴とする。
【００２４】
以上の態様では、モータのトルク制御の終了後、モータ電源をオフにすることで、操作部が現在のポジションからモータ駆動により移動してしまうのを防ぐことができる。
【００２５】
なお、以上のような本発明は、プログラムが、制御回路に各手段を実行させることにより、具体的な処理を実現する音声調整装置の操作サポートプログラムとして把握することも可能である。
【発明の効果】
【００２６】
本発明によれば、オペレータの熟練度や操作部の目視を必要とせず、フェードインやフェードアウトなどの操作部の操作を正確に行なうことのできる音声調整装置の操作サポートシステム及びサポートプログラムを提供することができる。
【図面の簡単な説明】
【００２７】
【図１】本発明の実施形態に係る音声調整装置の操作サポートシステムの構成図。
【図２】本発明の実施形態に係る音声調整装置の操作サポートシステムの第１の制御パターンを示す図。
【図３】本発明の実施形態に係る音声調整装置の操作サポートシステムの第２の制御パターンを示す図。
【図４】本発明の実施形態に係る音声調整装置の操作サポートシステムの第１の制御パターンにおける処理の流れを示すフローチャート図。
【図５】本発明の実施形態に係る音声調整装置の操作サポートシステムの第２の制御パターンにおける処理の流れを示すフローチャート図。
【発明を実施するための形態】
【００２８】
本発明を実施するための形態について、図１〜図５を参照して説明する。なお、以下では、本発明として音声調整装置の操作サポートシステムについて説明するが、上述のとおり、本発明は、プログラムが、制御回路に各手段を実行させることにより、具体的な処理を実現する音声調整装置の操作サポートプログラムとして把握することも可能である。
【００２９】
［１．本実施形態］
［１−１．構成］
本実施形態の音声調整装置の操作サポートシステムは、図１のシステム構成図に示すように、スライド式のモータフェーダ１を備え、このモータフェーダ１の操作ツマミ２に対してトルクを与える制御回路３と、駆動部となるモータ制御部４と、操作ツマミ２の把持部分である操作面に設けられたタッチセンサ５と、制御回路３に予め制御プログラムの設定を行なう設定操作部６と、を備える。
【００３０】
モータフェーダ１は、スライド式の操作ツマミ２を備え、モータＭの軸が、操作ツマミ２にベルトを使って機構的に接続されているモータＭに与える電流を制御することにより、操作ツマミ２に操作トルクを与えるものである。なお、このモータフェーダ１自体の構成は従来と同様であり、本実施形態では制御に改良を施したものである。すなわち、モータフェーダ１の本来的用途は、モータ制御で操作ツマミ２位置を任意のポジションへ移動させることであるところ、本実施形態では、この従来より存在する用途に、操作トルクを与えるようにしたものである。
【００３１】
タッチセンサ５は、操作ツマミ２のオペレータが把持する部分に配置されており、例えば、静電式によりオペレータの指などの導電体の近接によって生じる静電容量の変化を検出して、操作ツマミ２へのタッチを検知し、これを制御回路３に入力する手段である。なお、本実施形態においては、最適な実施例として、タッチセンサ５を操作ツマミ２の把持部分に配置したが、タッチセンサ５は、あくまでも操作ツマミ２に対するモータフェーダ１のオンオフの制御を行なうものであるから、その用途を発揮し得る限り、操作ツマミ２以外の音声調整装置のいずれかに配置しても良い。
【００３２】
設定操作部６は、ユーザが、操作ツマミ２の位置とトルクレベルの関係を表したトルクテーブルの設定を行い、これを制御回路３に入力する手段である。
【００３３】
制御回路３は、位置検出部３１と、タッチ検出部３２と、トルク付加部３３としてトルクテーブル記憶部３３ａとトルクレベル設定部３３ｂとを備える。
【００３４】
位置検出部３１は、操作ツマミ２のモータフェーダ１上におけるスライド位置を検出するものであり、この検出結果を、トルク付加部３３に入力するものである。タッチ検出部３２は、操作ツマミ２に設けられたタッチセンサ５において検出される操作ツマミ２へのタッチの結果の入力を受け、これをトルク付加部３３に入力し、トルク付加部３３の制御開始条件とするものである。
【００３５】
トルク付加部３３は、モータ制御部４にモータＭの制御信号を出力するものであり、このうちトルクテーブル記憶部３３ａは、設定操作部６におけるオペレータの操作により入力される、操作ツマミの位置と当該位置におけるトルクの設定値を記憶する手段である。また、トルクレベル設定部３３ｂは、位置検出部３１から入力される操作ツマミ２の位置情報とトルクテーブル記憶部３３ａに記憶されたトルク設定値とから、操作ツマミ２にかけるべきトルク値を算出し、これに相当するモータ制御信号をモータ制御部４に出力する手段である。
【００３６】
モータ制御部４は、制御回路３から入力される制御信号に応じて、モータフェーダ１のモータＭを回転制御し、操作ツマミ２のトルク制御を実行する手段である。
【００３７】
ここで、設定操作部６を介して、制御回路３のトルクテーブル記憶部３３ａにおいて予め設定される制御パターンの具体例について説明する。操作ツマミ２のポジションと、このポジションにおける操作トルクの制御パターンは、（イ）操作ツマミ２にかかる操作トルクを軽重２段階に分けて制御するパターン（第１の制御パターン）と、（ロ）操作ツマミ２にかかる操作トルクを、操作ツマミ２のポジションに応じて可変にするパターン（第２の制御パターン）の２つ考えられる。
【００３８】
［（イ）第１の制御パターン］
この制御パターンでは、例えば、テレビ番組やラジオ番組において、シーンを切り替える際に、次第に音を小さくしていくフェードアウトや、次第に大きくしていくフェードインを行なう場合、音量を急激に変えるものではなく、ゆっくりとした操作でスローフェードさせる必要があるため、操作ツマミ２に対して、比較的重いトルクをかけ、操作ツマミ２をゆっくり移動させることができるようにする。この場合、制御回路３のトルクテーブルには、図２（ａ）に示すように、操作ツマミ２のポジションに関わらず、一定の高負荷なトルクがかかるように設定される。
【００３９】
一方、リハーサル時に多くの調整を短時間で行う場合等、即座に調整設定を行う必要がある場合には、操作ツマミ２の操作トルクを軽めに設定する。この場合、制御回路３のトルクテーブルにおいて、図２（ｂ）に示すように、操作ツマミ２のポジションに関わらず、一定の低負荷なトルクがかかるように設定される。
【００４０】
［（ロ）第２の制御パターン］
上述のとおり、フェードイン・アウト操作は、最終到達レベルに近づく程に操作速度を遅くする場合や、逆に到達レベルに近づく程に操作速度を早める場合もある。そこで、この態様では、操作ツマミ２にかかる操作トルクを、用途に応じて可変とできるように、例えば、図３に示す以下の（ａ）〜（ｈ）の８つの制御パターンを用意し、これらを制御回路３のトルクテーブルに設定する。
【００４１】
（１）トルク一定パターン（図３（ａ））
操作方法があらかじめ決まっていないが、誤操作防止などで一定のトルクを与えておきたい場合であり、例えば、メインアナウンサーのマイク音量などを操作する場合の制御パターンである。
【００４２】
（２）操作範囲制限パターン（図３（ｂ））
操作レベルを、常に一定範囲内のポジションに収めたい場合であり、例えば、常時流し続けるＢＧＭなどを操作する場合の制御パターンである。
【００４３】
（３）フェードイン制御パターン（図３（ｃ））
例えば、テレビ番組やラジオ番組において、シーンを切り替える際に、音を次第に大きくしていく操作に対する制御パターンであり、この制御パターンでは、図３（ｃ）に示すように、操作ツマミ２のポジションが音量を増加させる位置に向かうにつれて、操作ツマミ２に掛かるトルクを増加させるようになっている。これにより、オペレータがフェードイン操作を行なう場合、音量を急激に変えることなく、ゆっくりとした操作でスローフェードさせることができる。
【００４４】
（４）フェードアウト制御パターン（図３（ｄ））
例えば、テレビ番組やラジオ番組において、シーンを切り替える際に、音を次第に小さくしていく操作に対する制御パターンであり、この制御パターンでは、図３（ｄ）に示すように、操作ツマミ２のポジションが音量を減少させる位置に向かうにつれて、操作ツマミ２に掛かるトルクを増加させるようになっている。これにより、オペレータがフェードアウト操作を行なう場合、音量を急激に変えることなく、ゆっくりとした操作でスローフェードさせることができる。
【００４５】
（５）フェードインＬｏｇ制御パターン（図３（ｅ））
例えば、テレビ番組内におけるＶＴＲのスタートや、ラジオ番組におけるＣＤスタートなど、番組内で一時的に挿入されるコンテンツなどの開始時に用いる制御パターンである。操作レベルをフェードインのＬｏｇカーブにすることで、入りは早く、到達近くで遅くする操作などが、トルク制御により一定量の操作力で可能になる。
【００４６】
（６）フェードアウトＬｏｇ制御パターン（図３（ｆ））
例えば、テレビ番組におけるＶＴＲのストップや、ラジオ番組におけるＣＤストップなど、番組内で一時的に挿入されるコンテンツなどの終了時に用いる制御パターンである。操作レベルをフェードアウトのＬｏｇカーブにすることで、入りは早く、到達近くで遅くする操作などが、トルク制御により一定量の操作力で可能になる。
【００４７】
（７）フェードイン＋ストップ制御パターン（図３（ｇ））
例えば、テレビ番組におけるＶＴＲスタートや、ラジオ番組におけるＣＤスタートなどの場面において、誤操作を防止するものであり、番組内で一時的に挿入されるコンテンツなどの開始時においてあらかじめ到達ポジションを設定したい場合の制御パターンである。この制御パターンでは、操作ツマミ２が、到達すべきポジションまで操作されると、一気にトルクが増してストップ感が得られる。したがって、オペレータが、出演者の様子をＴＶモニター等で監視しながら、操作ツマミ２を操作する場合などに有効である。
【００４８】
（８）フェードアウト＋ストップ制御パターン（図３（ｈ））
例えば、テレビ番組におけるＶＴＲのフェードアウトや、ラジオ番組におけるＣＤフェードアウトなどで、余韻を残すために一定ポジションに留めたいときの制御パターンであり、番組内で一時的に挿入されるコンテンツなどの終了時で、あらかじめ到達ポジションを設定したい場合の制御パターンである。この制御パターンでは、操作ツマミ２が、到達すべきポジションまで操作されると、一気にトルクが増してストップ感が得られる。したがって、オペレータが、出演者の様子をＴＶモニター等で監視しながら、操作ツマミ２を操作する場合などに有効である。
【００４９】
［１−２．作用］
以上のような構成からなる本実施形態の音声調整装置のフェード操作サポートシステムにおける作用について説明する。
【００５０】
（イ）第１の制御パターンにおける処理
図４のフローチャートに示すように、制御回路３のタッチ検出手段３２は、まず、タッチセンサ５において、オペレータが操作ツマミ２の把持部分をタッチしたか否かを検出し（Ｓ４０１）、タッチを検出した場合には（ＹＥＳ）、操作開始と判断し、その旨をトルク付加手段３３に入力する（Ｓ４０２）。
【００５１】
これに基づき、トルク付加手段３３のトルクレベル設定部３３ｂは、モータ制御部４にトルクテーブル記憶部３３ａからモータ制御部４に入力すべきトルクレベル読み出して所定のトルクレベルを入力し、モータ制御により操作ツマミのトルク制御を開始する（Ｓ４０３）。このトルク制御のトルクレベルは、オペレータが設定操作部６を介してトルクテーブル記憶部３３ａにあらかじめ任意に設定するものであり、本態様においては、上述のように、重トルクと、軽トルクとの２段階で設定される（図２参照）。
【００５２】
すなわち、トルクレベル設定手段３３ｂは、設定トルクレベルに応じて操作トルク制御を行い、モータＭ電流を増加させる。オペレータは、この間にツマミ操作を行なうと、モータ制御部４によるモータＭ電流の設定により、操作ツマミ２の操作トルクが重く感じられることとなる。
【００５３】
このトルク制御は、タッチセンサ５から、オペレータの指が離れることにより、タッチセンサ５がタッチオフを検出し、これがタッチ検出手段３２に入力されるまで継続して行なう（Ｓ４０４）。タッチセンサ５により、タッチオフが検出され、これがタッチ検出手段３２に入力されると、トルク付加手段３３がモータ制御部４に対して、トルク制御を終了した後（Ｓ４０５）、モータＭ電源をオフとし（Ｓ４０６）、処理を終了する（ＥＮＤ）。なお、ここで、モータＭ電源をオフにしないと、操作ツマミ２が現在のポジションからモータＭ駆動により移動してしまうため、モータＭ電源をオフにする必要が生じる。
【００５４】
（ロ）第２の制御パターンにおける処理
本態様においては、上記「操作トルクを軽重２段階に変更する作用」における図４に示したフローチャートの処理のうち、Ｓ４０３に当たる「設定トルクレベルに応じた操作トルク制御」の部分において、トルク付加手段３３がさらに細かい処理を行なうものであり、Ｓ４０３以外の処理については、図４と同様であるので省略する。
【００５５】
図５に示すように、制御回路３のトルクレベル設定部３３ｂは、トルクテーブル記憶部３３ａにおいて、予め設定されたトルクテーブルを、図３に示す（ａ）〜（ｈ）のパターンから選択し、トルクテーブルを読み込む（Ｓ５０１）。
【００５６】
次に、トルクレベル設定部３３ｂは、操作ツマミ２から入力される操作ツマミ２の現在の位置を確認し、当該ポジションにおけるトルクをトルクテーブル記憶部３３ａによって記憶されたトルクテーブルから算出する（Ｓ５０２）。トルクレベル設定部３３ｂは、このトルクテーブルから読み出されるトルクに応じて、操作ツマミ２をトルク制御する（Ｓ５０３）。
【００５７】
以降の処理は、図４に示した態様と同様であり、トルクレベル設定部３３ｂがモータ制御部４に対するトルク制御を、タッチ検出部３２においてタッチセンサ５からオペレータの指が離れるタッチオフを検出するまで継続して行ない（Ｓ４０４）、タッチオフが検出されると、トルクレベル設定部３３ｂはトルク制御を終了し（Ｓ４０５）、モータＭ電源をオフし（Ｓ４０６）、処理を終了する（ＥＮＤ）。
【００５８】
［１−３．効果］
以上のような本実施形態における音声調整装置のフェード操作サポートシステムにおける効果について説明する。
【００５９】
（イ）第１の制御パターンにおける効果
設定操作部６を介して、制御回路３において予め設定される制御パターンとして、制御回路３のトルクテーブルに、図２（ａ）に示すように、操作ツマミ２のポジションに関わらず、一定の高負荷なトルクがかかるようにするものと、図２（ｂ）に示すように、操作ツマミ２のポジションに関わらず、一定の低負荷なトルクがかかるようにするものとの２つの制御パターンを設定し、これらを設定操作部６の操作により、可変とする。
【００６０】
これにより、例えば、テレビ番組やラジオ番組において、シーンを切り替える際に、次第に音を小さくしていくフェードアウトや、次第に大きくしていくフェードインを行なう場合、音量を急激に変えるものではなく、ゆっくりとした操作でスローフェードさせる必要があるため、操作ツマミ２に対して、比較的重いトルクをかけ、操作ツマミ２をゆっくり移動させることができるようになる。
【００６１】
したがって、オペレータは、例えば、操作ツマミ２を直接見ないで出演者の状態をテレビモニタやガラス越しに観察しながらツマミ操作を行なった場合でも、操作トルクが重いことにより、操作ツマミ２をゆっくり動かせるから、操作ツマミ２が必要なレベルより行き過ぎてしまうようなことを防止することができる。
【００６２】
一方で、リハーサル時に多くの調整を短時間で行う場合等、即座に調整設定を行う必要がある場合には、操作ツマミ２の操作トルクを軽めに設定することができる。
【００６３】
（ロ）第２の制御パターンにおける処理
設定操作部６を介して、制御回路３において予め設定される制御パターンとして、制御回路３のトルクテーブルに、図３に示す以下の（ａ）〜（ｈ）の８つを設定する。制御回路３は、操作ツマミ２の現在値ポジションを読み取り、モータ制御部４を制御して操作ツマミ２へ操作トルクを与えるモータＭを稼動させる。
【００６４】
制御回路３は、設定された制御パターンに基づいて、フェードイン、フェードアウトの操作サポートとして、ＬＯＧカーブなどのフェードカーブ設定値及び目標ポジション設定値に対する操作中の現在ポジション位置を比較し、操作ツマミ２へ与えるトルクを可変する。これにより、オペレータは、一定した操作力を加えるだけで正確で安定したフェード操作が可能になる。
【００６５】
また、操作が目標ポジションへ到達した場合には、行き過ぎ操作の防止目的でストップトルク（トルク最大）を与えることもでき、オペレータが、操作ツマミ２を直接見ないで出演者の状態をテレビモニタやガラス越しに観察しながらツマミ操作を行なった場合でも、操作ツマミ２が必要なレベルより行き過ぎてしまうようなことを防止することができる。
【００６６】
［２．他の実施形態］
本発明は、上記の実施形態に限定されるものではなく、次に示すような態様も包含するものである。例えば、上記の実施形態では、スライドフェーダを取り上げて説明したが、本発明は、スライド式に限らず、ロータリエンコーダにおいても、上述したのと同様の制御により、実現可能である。
【符号の説明】
【００６７】
１…モータフェーダ
２…操作ツマミ
３…制御回路
３１…位置検出部
３２…タッチ検出部
３３…トルク付加部
３３ａ…トルクテーブル記憶部
３３ｂ…トルクレベル設定部
４…モータ制御部
５…タッチセンサ
６…設定操作部
Ｍ…モータ
【図１】
2012033767.tif 000003
【図２】
2012033767.tif 000004
【図３】
2012033767.tif 000005
【図４】
2012033767.tif 000006
【図５】
2012033767.tif 000007